(57)【要約】【課題】より早くインバータの単独運転を検出する単独運転検出装置および単独運転検出装置を提供する。【解決手段】直流電力を交流電力に変換し交流電力系統８と連系して運転するインバータ２の単独運転検出装置であって、交流電力系統８及び前記インバータ２出力の電圧位相に同期し、所定の電流位相に制御しインバータ２の出力の無効電力制御を行い、インバータ２が交流電力系統８から切り離された時、インバータ２の出力電圧の周波数（ｆ）と周波数変化率（ｄｆ／ｄｔ）とに基づいてインバータ２の無効電力が変化するよう制御する駆動手段を備え、駆動手段は、インバータ２の出力電圧の周波数（ｆ）又は周波数変化率（ｄｆ／ｄｔ）が正帰還により変化を助長する方向に制御する手段であるインバータの単独運転検出装置。【選択図】      図２Ｃ
2010115094.tif 000002
【特許請求の範囲】
【請求項１】
直流電力を交流電力に変換し交流電力系統と連系して運転するインバータの単独運転検出装置であって、
前記交流電力系統及び前記インバータ出力の電圧位相に同期し、所定の電流位相に制御し前記インバータの出力の無効電力制御を行い、前記インバータが前記交流電力系統から切り離された時、前記インバータの出力電圧の周波数と周波数変化率とに基づいて前記インバータの無効電力が変化するよう駆動する駆動手段を備え、
前記駆動手段は、前記周波数又は前記周波数変化率が正帰還により変化を助長する方向に制御する手段であるインバータの単独運転検出装置。
【請求項２】
前記駆動手段は、前記インバータの有効電力および無効電力を制御するループを構成し、前記インバータが前記交流電力系統から切り離された時、前記インバータ出力電圧の周波数と周波数変化率とに基づいて前記インバータの無効電力を制御して、前記インバータの出力電圧の周波数又は周波数変化率が正帰還により変化を助長する方向に制御する手段を備える請求項１記載のインバータの単独運転検出装置。
【請求項３】
前記駆動手段は、前記インバータの電流と電流基準位相とが合致するように前記インバータの出力電流制御を行い、前記インバータが前記交流電力系統から切り離されたとき、前記インバータの出力電圧の周波数と周波数変化率とに基づいて前記インバータの電流基準の位相を変化させ出力電圧の周波数又は周波数変化率が正帰還作用により変化を助長するよう制御する手段を備える請求項１記載のインバータの単独運転検出装置。
【請求項４】
前記駆動手段は、前記周波数が上昇すると前記無効電力が進み方向に増加するとともに前記周波数が下降すると遅れ前記無効電力が増加する方向に制御する第１函数と、前記周波数変化率が正の時は前記無効電力を進み方向にシフトするとともに前記周波数変化率が負の時は前記無効電力を遅れ方向にシフトする第２函数との和により、前記インバータの無効電力を制御する手段を備える請求項２または請求項３記載のインバータの単独運転検出装置。
【請求項５】
前記周波数変化率に関する前記第２函数は、前記周波数変化率の絶対値が低い範囲でゲインが高くなる函数である請求項４記載のインバータの単独運転検出装置。
【請求項６】
前記第１函数は、前記周波数が設定値以上で、前記周波数の上昇にともなって進み無効電力が遅れ方向に反転し、前記周波数が設定値以下で前記周波数の下降に従って無効電力が進み方向に反転する函数である請求項４記載のインバータの単独運転検出装置。
【請求項７】
前記駆動手段は、前記周波数変化率の過大を検出し前記インバータの駆動素子のゲートを遮断する手段と、
前記周波数の過大または周波数の過少を検出し、前記インバータの電圧過大または前記インバータの電圧過少を検出すると共に、前記周波数の過大、前記周波数の過少、前記インバータの電圧過大、および／または前記インバータの電圧過少の検出により、前記インバータと前記交流電力系統との間の連系遮断器を開とする手段と、を備える請求項２乃至請求項６のいずれか１項記載のインバータの単独運転検出装置。
【請求項８】
前記駆動手段は、第１函数と第２函数との和の値を取得し、上限を制限する手段を備える請求項４記載のインバータの単独運転検出装置。
【請求項９】
前記駆動手段は、前記周波数と前記周波数変化率とを、前記出力電圧のハーフサイクル毎に検出する手段を備える請求項１乃至請求項８のいずれか１項記載のインバータの単独運転検出装置。
【請求項１０】
直流電力を交流電力に変換し交流電力系統と連系して運転するインバータの単独運転検出方法であって、
前記交流電力系統及び前記インバータ出力の電圧位相に同期し、所定の電流位相に制御し前記インバータの出力の無効電力制御を行うステップと、
前記インバータが前記交流電力系統から切り離された時、前記インバータの出力電圧の周波数と周波数変化率とに基づいて前記インバータの無効電力が変化するよう制御する駆動ステップと、
前記駆動ステップは、前記インバータの出力電圧の周波数又は周波数変化率が正帰還により変化を助長する方向に制御するステップを備えるインバータの単独運転検出方法。
【発明の詳細な説明】
【技術分野】
【０００１】
この発明は、インバータの系統連系時の単独運転保護に関し、インバータの単独運転検出装置および単独運転検出方法に関する。
【背景技術】
【０００２】
従来の技術の一構成例を図４に示しその構成、作用、条件を説明する。図４に示すように、従来の単独運転検出装置では、例えば太陽電池あるいは燃料電池等でなる直流電源１の直流電力はインバータブリッジ２により交流電力に変換され、リアクトル３とコンデンサ４からなるフィルタによりＰＷＭ制御による高周波分を除去してコンタクタ６を介して負荷９に供給される。
【０００３】
一方、交流電力系統８から遮断器７を介して供給される交流電源にインバータブリッジ２は連系して運転する。負荷９に供給される交流電圧は電圧検出器１０により検出されＰＬＬ回路２２により交流電圧位相に同期した信号を位相シフト回路２３に入力し正弦波回路２６を通して電流基準回路１２に正弦波の信号Ｖs が入力される。
【０００４】
増幅器１１は、直流電源１の電圧を検出し電圧基準Ｖ* と比較増幅した信号Ｖ11を電流基準回路１２に入力する。電流基準回路１２は信号Ｖ11と信号Ｖs との積を交流電流基準Ｉ* として増幅器１３へ入力する。この交流電流基準Ｉ* と電流検出器５で検出したインバータ出力電流が一致するように増幅器１３が制御し、ＰＷＭ回路１４により駆動部１５を介してインバータブリッジ２をＰＷＭ制御する。
【０００５】
一方ＰＬＬ回路２２の出力信号Ｖ22から周波数検出回路２５によりインバータ周波数を検出し函数発生回路２４を介して位相シフト回路２３により正弦波回路２６の出力信号Ｖs の位相をシフトしてインバータの出力無効電力（Ｉ×Ｖsin θ）を制御する。
【０００６】
また、電圧検出器１０の出力から電圧リレー１７により異常検出し周波数リレー１８により周波数異常を検出し、周波数変化率リレー２７により周波数変化率（df／dt）の過大を検出し異常検出回路１９を介して駆動部１５によりインバータ駆動を停止させると同時にコンタクタ６を開として完全にインバータブリッジ２を系統連系から解列する（例えば特許文献１および特許文献２参照）。
【特許文献１】特許第２７９０４０３号公報
【特許文献２】特許第２７９６０３５号公報
【発明の開示】
【発明が解決しようとする課題】
【０００７】
上記のような単独運転検出方法を“スリップモード周波数シフト”と呼んでいる。この動作原理を図５により説明する。函数発生回路２４の特性は図５のインバータ特性に示すようにインバータ出力周波数（ｆ）に対し定格周波数ｆ0 近辺では周波数（ｆ）の上昇に従って電流位相が進み方向（進み無効電力）に増加する特性となっている。
【０００８】
一方、負荷９の特性曲線は周波数（ｆ）が増加すると負荷９のコンデンサ電流は増加しリアクトル電流は減少するので周波数（ｆ）の上昇と共に進み無効電力を吸収する特性となる。図５の負荷特性は負荷９が定格周波数ｆ0で力率＝１の場合の特性カーブを示す。このような状態で交流電力系統８へ流れる有効電力ΔＰ、無効電力ΔＱが共にゼロの条件で遮断器７が開となると単独運転を検出するのに比較的長い時間が必要となる。
【０００９】
ΔＰ＝０，ΔＱ＝０のｆ0 の点で遮断器７が開となると定格周波数ｆ0 より高い周波数の範囲では、負荷９が吸収する無効電力よりもインバータブリッジ２の出力する進み無効電力がやや大きいので、負荷９はこの進み無効電力を吸収するため周波数（ｆ）が上昇する。
【００１０】
一方定格周波数ｆ0 より低い周波数（ｆ）の範囲では負荷９が吸収する遅れ無効電力よりもインバータブリッジ２が出力する遅れ無効電力が大きいのでこの遅れ無効電力を吸収するため負荷９の周波数（ｆ）は低下して（リアクトルの電流が増加）いくことになる。
【００１１】
このような過程は正帰還により加速的に周波数（ｆ）がシフトして行くが、図６に示すように、インバータブリッジ２の無効電力と負荷９の無効電力とが等しい（有効電力も等しい）条件で単独運転になるとその検出が遅くなる。図６は、インバータブリッジ２の無効電力と負荷９の無効電力とが等しい（有効電力も等しい）条件でのシミュレーション波形である。
【００１２】
従来は、単独運転になって約０．５〜１．０秒で検出すれば良い系統連系規程となっているが、最近系統の保護協調上０．１秒で検出することが望まれるようになった。図５に示すような周波数に対する、インバータブリッジ２の無効電力あるいは電流位相の特性のままこのインバータ特性の傾斜を急にすれば（インバータ特性と負荷特性との交叉角Aを大とすれば）正帰還が強くかかり検出時間は早くなるが、周波数が±１％変化した時力率が９５％以上の制限が系統連系規程にあり時間短縮に限度があった。
【００１３】
本発明はこれらの事情を鑑みて成されたものであって、その目的とするところは上述のような状態においてもより早くインバータの単独運転を検出する単独運転検出装置および単独運転検出装置を提供することにある。
【課題を解決するための手段】
【００１４】
本発明の第１態様によるインバータの単独運転検出装置は、直流電力を交流電力に変換し交流電力系統と連系して運転するインバータの単独運転検出装置であって、前記交流電力系統及び前記インバータ出力の電圧位相に同期し、所定の電流位相に制御し前記インバータの出力の無効電力制御を行い、前記インバータが前記交流電力系統から切り離された時、前記インバータの出力電圧の周波数と周波数変化率とに基づいて前記インバータの無効電力が変化するよう駆動する駆動手段を備え、前記駆動手段は、前記周波数又は前記周波数変化率が正帰還により変化を助長する方向に制御する手段である。
【００１５】
本発明の第２態様によるインバータの単独運転検出方法は、直流電力を交流電力に変換し交流電力系統と連系して運転するインバータの単独運転検出方法であって、前記交流電力系統及び前記インバータ出力の電圧位相に同期し、所定の電流位相に制御し前記インバータの出力の無効電力制御を行うステップと、前記インバータが前記交流電力系統から切り離された時、前記インバータの出力電圧の周波数と周波数変化率とに基づいて前記インバータの無効電力が変化するよう制御する駆動ステップと、前記駆動ステップは、前記インバータの出力電圧の周波数又は周波数変化率が正帰還により変化を助長する方向に制御するステップを備える。
【発明の効果】
【００１６】
この発明によれば、より早くインバータの単独運転を検出する単独運転検出装置および単独運転検出装置を提供することができる。
【発明を実施するための最良の形態】
【００１７】
以下に、本発明の第１実施形態に係る単独運転検出装置および単独運転検出方法について図面を参照して説明する。本実施形態に係る単独運転検出装置は、直流電源から出力される直流電力を交流電力に変換し交流系統に連系して運転するインバータの単独運転検出保護装置であって、インバータの出力側の電圧位相、周波数、および周波数変化率を検出し、検出した電圧位相から基準位相を取得し、この基準位相に応じた位相の交流の電流基準を発生しインバータの出力電流を制御すると共に、周波数と周波数変化率に応じて基準位相を補正し、これによりインバータが交流系統から切り離されたことを検出し保護動作を高速に行う。
【００１８】
また、インバータブリッジの周波数（ｆ）の増加あるいは減少、および、周波数変化率（ｄｆ／ｄｔ）の極性と大きさとにより取得した基準位相を進みあるいは遅れに補正し、周波数（ｆ）の過大過少、および周波数変化率（ｄｆ／ｄｔ）の過大を検出して保護を行う。
【００１９】
すなわち、本実施形態に係る単独運転検出装置では、インバータの交流側が交流電力系統から切り離されたとき交流電源の周波数（ｆ）と周波数変化率（ｄｆ／ｄｔ）とがわずかに増加あるいは減少する。
【００２０】
この周波数（ｆ）と周波数変化率（ｄｆ／ｄｔ）との増加あるいは減少を検出し、周波数（ｆ）が増加、周波数変化率（ｄｆ／ｄｔ）が正の場合は、インバータブリッジ２の電流位相を進め、周波数（ｆ）がさらに増加する方向に正帰還をかける。
【００２１】
周波数（ｆ）と周波数変化率（ｄｆ／ｄｔ）との増加あるいは減少を検出し、周波数（ｆ）が減少あるいは周波数変化率（ｄｆ／ｄｔ）が負の場合は、インバータブリッジ２の電流位相を遅らせて周波数（ｆ）がさらに減少する方向に正帰還をかける。
【００２２】
上記のように、インバータの出力と負荷のバランスを急速に崩すことにより交流電源の電圧、周波数（ｆ）、周波数変化率（ｄｆ／ｄｔ）を検出して、これらの値が設定値を越えたとき早期に単独運転を検出しインバータの運転を停止させる。
【００２３】
本発明の一実施形態にかかるインバータの単独運転検出装置および単独運転検出方法の一構成例を図１に示す。なお、図１において、図４と重複する部分には同一符号を付して説明を省略する。
【００２４】
図１に示すように、本実施形態に係る単独運転検出装置では、負荷９の電圧を電圧検出器１０で検出し周波数（ｆ）検出回路３０で負荷９の周波数を検出し第１函数回路３１を介して出力Ｖ31とし加算リミット回路３２に入力する。出力Ｖ31は、例えば図２Ａに示すような周波数（ｆ）とインバータブリッジ２の無効電力あるいは電流位相との関係となる特性を示す。
【００２５】
一方周波数変化率（ｄｆ／ｄｔ）検出回路２８で負荷９の周波数変化率（ｄｆ／ｄｔ）を検出し、第２函数回路２９を介して出力Ｖ29を加算リミット回路３２に入力する。出力Ｖ29は例えば図２Ｂに示すような周波数変化率（ｄｆ／ｄｔ）とインバータブリッジ２の無効電力あるいは電流位相との関係となる特性を示す。
【００２６】
出力Ｖ29と出力Ｖ31とを加算リミット回路３２で加算し最大値をリミットしてＶ32とし位相シフト回路２３に入力して電流基準の位相をシフトして無効電力を制御する。
【００２７】
図１に示す、電圧検出器１０、周波数検出回路３０、第１函数回路３１、および位相シフト回路２３の回路は従来の“スリップモード周波数シフト”の特性で動作する。このループの特性は図２Ａに示すように定格周波数ｆ0の近く（系統電源の周波数変動範囲＋α）では周波数（ｆ）の上昇に従って電流位相が進み、進み無効電力が増加する。
【００２８】
図２Ａに示すインバータ特性において傾斜を急にすれば単独運転検出の時間は短くなるが、先に説明したように周波数が±１％変化した時インバータ力率９５％以上の仕様があり傾斜には制限がある。
【００２９】
そこで図２Ｂに示すような周波数変化率（ｄｆ／ｄｔ）と無効電力又は電流位相との関係となる第２函数回路の出力Ｖ29を加算リミット回路３２で出力Ｖ31と加算する。加算リミット回路３２の出力Ｖ32は、例えば図２Ｃに示す実線の様な特性となり、負荷特性とインバータブリッジ２の出力無効電力あるいは電流位相との交わる点の角度を急に（図２Ｃに示す交叉角Ｂを大に）することができる。
【００３０】
駆動部１５により、このような特性となるようにインバータブリッジ２を制御することによって、インバータブリッジ２が単独運転になった時、急速に負荷９の周波数（ｆ）を正帰還作用でシフトすることができる。
【００３１】
すなわち、本実施形態に係るインバータの単独運転検出装置および単独運転検出によれば、周波数（ｆ）に対する無効電力函数（出力Ｖ31）と、周波数変化率（ｄｆ／ｄｔ）に対する無効電力函数（出力Ｖ29）と、の和によりインバータブリッジ２の無効電力分を制御し、この結果インバータブリッジ２が単独運転になったとき正帰還作用のゲインを上昇させて高速に周波数（ｆ）をシフトする。
【００３２】
周波数（ｆ）がシフトすると、電圧検出器１０の出力から電圧リレー１７により異常が検出され、周波数リレー１８により周波数異常が検出され、周波数変化率リレー２７により周波数変化率（ｄｆ／ｄｔ）の過大が検出される。
【００３３】
上記のように周波数変化率（ｄｆ／ｄｔ）の過大が検出されると、インバータブリッジ２の駆動素子（図示せず）のゲートが遮断されるとともに、周波数（ｆ）の過大、周波数（ｆ）の過少、インバータブリッジ２の電圧過大、および／またはインバータブリッジ２の電圧過少の検出により、異常検出回路１９を介して駆動部１５によりインバータブリッジ２と交流電力系統８と間の連系遮断器（コンタクタ６）を開とする。この結果、本実施形態に係るインバータの単独運転検出装置および単独運転検出方法によれば、単独運転検出保護を高速化することができる。
【００３４】
なお、インバータブリッジ２は、駆動ゲートにより停止させることができるので、最も早く約１０μｓで停止可能である。
【００３５】
次に本発明の第２実施形態に係るインバータの単独運転検出装置および単独運転検出方法について、図面を参照して以下に説明する。
【００３６】
図３に示すように、本実施形態に係る単独運転検出装置では、インバータブリッジ２が３相ブリッジである。インバータブリッジ２の交流側には、リアクトル３ａ、３ｂ、３ｃが接続され、リアクトル３ａ、３ｂ、３ｃはフィルタコンデンサ４ａ、４ｂ、４ｃとデルタ接続されている。電流検出器５ａ、５ｂは２相に接続し、インバータブリッジ２の出力電流を検出している。
【００３７】
ＰＱ検出回路３５はインバータブリッジ２の出力電流と負荷９の電圧とから有効電力Ｐ、無効電力Ｑを算出する。増幅器１１は、直流電源１の電圧を検出し電圧基準Ｖ* と比較増幅した有効電力基準Ｐ*を増幅器１３ａに出力する。増幅器１１から出力された有効電力基準Ｐ* と有効電力Ｐとを増幅器１３ａにて増幅し信号Ｖ13aを３相変換器３４へ入力する。
【００３８】
加算リミット回路３２の出力は、無効電力基準回路３３に入力され、無効電力基準回路３３から出力される無効電力基準Ｑ*とＰＱ検出回路３５で検出したインバータブリッジ２の無効電力Ｑとの誤差を増幅器１３ｂで増幅して信号Ｖ13bとして出力する。信号Ｖ13bは３相変換器３４を介してＰＷＭ回路１４に入力され、ＰＷＭ回路１４により駆動部１５を介してインバータブリッジ２の出力電流を制御し、有効電力と無効電力とを制御する方式が３相インバータでは一般的に行われる。
【００３９】
上記のように、図１に示す単相の場合は電流位相を変えることにより無効電力を変化させてインバータブリッジ２の単独運転を高速検出していたが、図３に示す３相の場合は無効電力を直接制御することによりインバータブリッジ２の単独運転を高速検出する。
【００４０】
図３に示すように、上記の構成以外は、図１に示す第１実施形態に係る単独運転検出装置と同様の構成である。
【００４１】
すなわち、本実施形態に係るインバータの単独運転検出装置および単独運転検出方法によれば、上述の第１実施形態の場合と同様に、周波数（ｆ）に対する無効電力函数（出力Ｖ31）と周波数変化率（ｄｆ／ｄｔ）に対する無効電力函数（出力Ｖ29）との和によりインバータブリッジ２の無効電力分を制御し、この結果インバータが単独運転になったとき正帰還作用のゲインを上昇させて高速に周波数（ｆ）をシフトさせる。
【００４２】
そうすると、電圧検出器１０の出力から電圧リレー１７により異常が検出され、周波数リレー１８により周波数異常が検出され、周波数変化率リレー２７により周波数変化率（ｄｆ／ｄｔ）の過大が検出され、異常検出回路１９を介して駆動部１５によりインバータ駆動を停止させる（駆動素子のゲートが遮断される）とともに、連系遮断器（コンタクタ６）を開として完全にインバータブリッジ２を系統連系から解列させる。この結果、本実施形態に係るインバータの単独運転検出装置および単独運転検出方法によれば、単独運転検出保護を高速化することができる。
【００４３】
なお加算リミット回路３２の出力は図２Ｃの出力Ｖ32に示すように最大値をリミットすることにより異常に大きい無効電力を流さないよう設定している。また、第１函数回路３１は、周波数（ｆ）が定格周波数ｆ0より大きく変化して一定値以上あるいは一定値以下となった場合、図２Ｄに示すように無効電力や電流位相特性の方向を反転している。これにより出力Ｖ32の特性を示す線と負荷特性線とが交った点Ｐ１、Ｐ３で上下周波数が制限され、異常周波数にならないよう工夫している。
【００４４】
また、従来周波数検出や周波数変化率の検出には交流電源１サイクル毎で計測していたが、より高速化をはかるためハーフサイクル毎に計測するよう工夫することもできる。
【００４５】
以上説明したように上記の第１および第２実施形態に係るインバータの単独運転検出装置および単独運転検出方法によれば、周波数（ｆ）が上昇したとき、無効電力が進み方向に変化し周波数（ｆ）が降下したとき無効電力が遅れ方向に変化する函数回路の出力信号と、周波数変化率（ｄｆ／ｄｔ）が正のとき無効電力が進み方向に変化し周波数変化率（ｄｆ／ｄｔ）が負のとき無効電力が遅れ方向に変化する函数回路の出力信号と、の和により無効電力を制御するよう構成することにより系統電源の周波数変動範囲において高速に検出できるインバータの単独運転検出装置および単独運転検出方法を提供することができる。
【００４６】
なお、この発明は、上記実施形態そのものに限定されるものではなく、その実施の段階ではその要旨を逸脱しない範囲で構成要素を変形して具体化できる。
【００４７】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４８】
【図１】本発明の一実施形態に係る単独運転検出装置の一構成例を説明するための図。
【図２Ａ】インバータ特性（周波数）の一例を示す図。
【図２Ｂ】図２Ａに示すインバータ特性（周波数変化率）の一例を示す図。
【図２Ｃ】本発明の一実施形態に係る単独運転検出装置のインバータ特性の一例を示す図。
【図２Ｄ】従来の単独運転検出装置のインバータ特性の一例を示す図。
【図３】従来の他の実施形態に係る単独運転検出装置の一構成例を説明するための図。
【図４】従来の単独運転検出装置の一構成例を説明するための図。
【図５】従来の単独運転検出装置のインバータ特性および負荷特性の一例を示す図。
【図６】従来の単独運転検出装置の動作の一例を説明するための図。
【符号の説明】
【００４９】
１…直流電源、２…インバータブリッジ、３…リアクトル、４…コンデンサ、５…電流検出器、６…コンタクタ、７…遮断器、８…交流電源、９…負荷、１０…電圧検出器、１１…増幅器、１２…電流基準回路、１３…増幅器、１４…ＰＷＭ回路、１５…駆動部回路、１７…電圧リレー、１８…周波数リレー、１９…異常検出回路、２２…ＰＬＬ回路、２３…位相シフト回路、２４…函数発生回路、２５…周波数検出回路、２６…正弦波回路、２７…周波数変化率リレー、２８…周波数変化率（ｄｆ／ｄｔ）検出回路、２９…第２函数回路、３０…周波数（ｆ）検出回路、３１…第１函数回路、３２…加算リミット回路、３３…無効電力基準回路、３４…３相変換回路、３５…ＰＱ検出回路。
【図１】
2010115094.tif 000003
【図２Ａ】
2010115094.tif 000004
【図２Ｂ】
2010115094.tif 000005
【図２Ｃ】
2010115094.tif 000006
【図２Ｄ】
2010115094.tif 000007
【図３】
2010115094.tif 000008
【図４】
2010115094.tif 000009
【図５】
2010115094.tif 000010
【図６】
2010115094.tif 000011